(57)【要約】【課題】サポーター全体に伸縮性を持たせて、肘又は膝への緊縛を高くしてずれることなく着用が確実で、屈伸し易く、着用した時の心地を良く、また関節部への保温性が高くて、かつ衝撃性をやわらげ得るサポーターにすることである。【解決手段】伸縮性糸ａを地編糸とし、これに紡績糸ｂを添え糸編して、かつ裏パイルｂ−ｐを形成し全体が筒状編体にして、この紡績糸ｂは、上記筒状編体において、弾性糸ｄを編込んだ上下両端口編部５，５のそれぞれの内側に、上記地編用伸縮性糸ａと数コース毎に交互に糸抜きして伸縮部７が形成され、また、上記筒状編体中央の膝又は肘の関節部内側部分３は、１コース又は数コース置きに糸抜きされ、他方、上記関節部の外側部分４は、減らし目増し目により形成された膨出部分とその周り領域に、さらに、発熱繊維による紡績糸ｃが添え糸編され、かつ裏パイルｃ−ｐを形成して、上記伸縮性糸ａと２本の紡績糸ｂ，ｃの添え糸編とにより厚手の編地にしたことである。【選択図】　　　　図１
2004068235.tif 000002
【特許請求の範囲】
【請求項１】
膝又は肘部を保温又は緊縛するサポーターにおいて、伸縮性糸を地編糸とし、これに紡績糸を添え糸編して、かつ裏パイルを形成し全体が筒状編体にして、この紡績糸は、上記筒状編体において、弾性糸を編込んだ上下両端口編部のそれぞれの内側に、上記地編用伸縮性糸と数コース毎に交互に糸抜きして伸縮部が形成され、また、上記筒状編体中央の膝又は肘の関節部内側部分は、１コース又は数コース置きに糸抜きされ、他方、上記関節部の外側部分は、減らし目増し目により形成された膨出部分とその周り領域に、さらに、発熱繊維による紡績糸が添え糸編され、かつ裏パイルを形成して、上記伸縮性糸と２本の紡績糸の添え糸編とにより厚手の編地にしたことを特徴とするサポーター。
【請求項２】
地編用伸縮糸と紡績糸の添え糸編による筒状編体における関節部の外側部分とその周り領域部分の編目を、徐々に大きくし又小さくしながら、さらに発熱繊維による紡績糸を添え糸編して膨出部が形成され、かつ、裏パイルが形成されたことを特徴とする請求項１記載のサポーター。
【発明の詳細な説明】
【０００１】
【発明の属する技術分野】
本発明は、膝又は肘部における関節部の外側部分と内側部分とが、屈伸し易く、緊縛があって、保温性に富んだ医療用又はスポーツ用サポーターに関するものである。
【０００２】
【従来の技術】
従来膝や肘の関節部に使用するサポーターは、その関節部分の外側領域に足し糸を編込み、その内側領域を浮き編にして非パイル領域にして湾曲部を形成したもの（例えば、特開平９−２８５５８７号公報参照）、関節の曲がりの外側を覆う部分の裏面を裏毛面に形成し、曲がりの内側を覆う部分には、地組織中に適宜の大きさと間隔で拡大編目による通気孔を形成したもの（例えば、特公昭５５−１１３５１号公報参照）等が知られている。
【０００３】
【発明が解決しようとする課題】
上記既に知られたサポーターにおいて、前者の関節部分の外側領域に足し糸を編込み、その内側領域を浮き編にして非パイル領域にして湾曲部を形成したサポーターでは、ほぼサポーター全域をパイル編したものが地編み組織を成しているもので、装着した場合サポーター全体の緊縛度合は、その編み組織による編物本来の伸縮程度で、サポーターの使用に期待する効果を奏し得なかった。また、サポーター中央の内側領域を浮き編にして非パイルにしても、パイル編した糸がそのままフロートメッシュ即ち浮き編の編目として全てその編地に介在するので、その分嵩高であることには変わりはなく、必ずしも肘又は膝を屈曲し易い程でなく、また着用心地は良くないという欠点があった。
【０００４】
また、後者における関節の曲がりの外側を覆う部分の裏面を裏毛面に形成し、曲がりの内側を覆う部分には、地組織中に適宜の大きさと間隔で拡大編目による通氣孔を形成したサポーターは、関節の曲がりの内側部分を２段吊上げまたは３段吊上げ即ち２段又は３段タックして、１ウエール毎又は４ウエール毎に編んで透かし目を形成したもので、このような拡大編目にしてもその内側部分は、テビロン糸、スパンデックス糸、毛糸の３本を引き揃え編し介在していることには変わりなく、関節を屈曲した場合その糸３本分が余分となり皺ができ、屈曲し易いものではなく、また着用心地は良くないという欠点があった。
【０００５】
本発明は、上記従来の技術のこのような課題に鑑みて改良したもので、サポーター全体に伸縮性を持たせて屈伸し易く、肘又は膝への緊縛を高くし、かつ、屈伸によるずれを防止して着用が確実で、また保温性が高くて、着用した時の心地を良く、かつ、衝撃性をやわらげ得るサポーターを提供することを目的とするものである。
【０００６】
【課題を解決するための手段】
上記目的を達成するために、本発明におけるサポーターは、ポリエステルフィラメント、ポリエチレンテレフタレートフィラメント等による伸縮性糸を、筒状編の地編糸にして全体に伸縮性を持たせ、これにアクリル繊維、羊毛等による紡績糸を添え糸編するとともに、かつ裏パイルを形成して全体を裏パイルからなる筒状編地とし、上記筒状編中央の膝又は肘の関節部内側部分においては、屈曲する部分を例えば楕円形状に上記アクリル繊維等による紡績糸を１コース又は数コース置きに糸抜きし、他方、該関節部の外側部分においては、引き返し編にて減らし目増し目により形成した膨出部分とその周りの領域に、さらに、発熱繊維例えば「エクス」（東洋紡の登録商標、以下「発熱繊維」という。）等の紡績糸を添え糸編するとともに、かつ裏パイルを形成して、上記ポリエステルフィラメント等の伸縮性糸に、アクリル繊維等による紡績糸と発熱繊維による紡績糸の２本を添え糸編の３本により編成して厚手の編地とし、この筒状編の両端口編部に上記伸縮性糸及びアクリル繊維等の紡績糸の他に、ポリウレタン繊維、ゴム糸等の弾性糸を添え糸編して袋編みしたこと特徴とするものである。
【０００７】
また、地編用の伸縮性糸と紡績糸の添え糸編による筒状編体の関節部の外側部分とその周り領域部分の編目を、徐々に大きくし又小さくしながら、さらに発熱繊維による紡績糸を添え糸編するとともに、かつ、裏パイルを形成することにより膨出部を形成することによって、上記関節部の外側部分とその周り領域を、減らし目増やし目の引き返し編により形成した膨出部とは異なり、自然状態の滑らかな膨出部を形成することを特徴とするものである。
【０００８】
【発明の実施の形態】
発明の実施の形態を実施例にもとづき図面を参照して説明する。
図１ないし図４は、本発明の一実施例に係わるものであり、図１は、サポーターの概略図で、（Ａ）はサポーターにおける関節部内側正面図、（Ｂ）は同じく関節部外側正面図、図２は、図４の（Ｃ）の６における関節部の内側部から外側部にかけての裏面の拡大組織図、図３は、サポーターの上端口編部と伸縮部の裏面の拡大組織図、図４は、サポーターの着用状態の各側面概略図で、（Ｃ）は自然状態の図で、（Ｃ−イ）はその全外側部における編目の伸張状態の概略図、（Ｃ−ロ）はその関節部の内側部における編目の伸張状態の概略図、（Ｄ）は、関節部を真直ぐに伸ばした状態の図で、（Ｄ−イ）はその全外側部における編目の伸張状態の概略図、（Ｄ−ロ）はその関節部の内側部における編目の伸張状態の概略図、（Ｅ）は、関節部を屈曲した状態の図で、（Ｅ−イ）はその全外側部における編目の伸張状態の概略図、（Ｅ−ロ）はその関節部の内側部における編目の圧縮状態の概略図、図５及び図６は、他の実施例に係わるものであり、図５は、他の実施例によるサポーターの概略図で、（イ）はサポーターにおける関節部内側正面図、（ロ）は同じく関節部外側正面図、図６は、図５の実施例によるサポーターの着用状態の各側面概略図で、（ハ）は自然状態の図、（ニ）は関節部を真直ぐに伸ばした状態の図、（ホ）は関節部を屈曲した状態の図である。
【０００９】
図１における（Ａ）と（Ｂ）において、サポーター１は、主体をなしている肘又は膝２の中央部を関節部とするその内側部３及び外側部４と、これらの上下両端口編部５、５とその内側の伸縮部７、７とから構成されるものである。
【００１０】
図２において、肘又は膝２の部分は、ポリエステルフィラメント、又は、ポリエチレンテレフタレートフィラメント等による伸縮性糸ａを地編にして全体を伸縮性のある筒状編とし、これにアクリル繊維、又は、羊毛等による紡績糸ｂを添え糸編するとともに、裏パイルｂ−ｐを形成する。関節部の内側部３は、ポリエステルフィラメント等による伸縮性糸ａの地編に対し、アクリル繊維等による紡績糸ｂを２コース毎に交互に切断ｂ−ｚして２コース毎に糸抜きしてなり、関節部の外側部４は、地編をなすポリエステルフィラメント等による伸縮性糸ａと、これに添え糸編したアクリル繊維等による紡績糸ｂの上に、さらに３本目の発熱繊維による紡績糸ｃを添え糸編するとともに、裏パイルｃ−ｐを形成することによって、上記外側部４を、上記地編用の伸縮性糸ａと、紡績糸ｂと、発熱繊維による紡績糸ｃとの３本の揃え編と、紡績糸ｂ，ｃの両裏パイルｂ−ｐ，ｃ−ｐの形成により厚地とするものである。そして、添え糸編した発熱繊維による紡績糸ｃは、外側部４の外側において切断ｃ−ｚされる。
【００１１】
図３は、サポーターの上端口編部５と伸縮部７の裏面の拡大組織図で、ポリエステルフィラメント等の伸縮性糸ａによる地編した筒状編体即ちサポーター１において、上端の口編部５が、地編用の伸縮性糸ａに，アクリル繊維等による紡績糸ｂとポリウレタン繊維等の弾性糸ｄを添え糸編し、これに引続いて隣接する伸縮部７が、地編用伸縮性糸ａに対しアクリル繊維等による紡績糸ｂを２コース毎に切断して２コース毎に糸抜きし、２コース毎交互に伸縮性糸ａとアクリル繊維等による紡績糸ｂが配列され、このアクリル繊維等による紡績糸ｂには裏パイルｂ−ｐが形成されている。この他、アクリル繊維等による紡績糸ｂの糸抜きの割合は、上記のように２コースに限定するものではなく、必要に応じて変更することもできる。
【００１２】
図４は、サポーターの着用状態を示すもので、
（Ｃ）は自然状態のサポーター１で、その（Ｃ−イ）と（Ｃ−ロ）の各図は、肘又は膝２及び関節部の外側部４の全体における編目と、関節部の内側部３における編目と、伸縮部７の概略編目（添え糸及び裏ループを省いた地編目のみを示した編目で、以下同様。）のそれぞれが一定の伸張状態の大きさを示している。
（Ｄ）は関節部を真直ぐに伸ばした状態のサポーター１で、（Ｄ−イ）の図は、肘又は膝２及び関節部の外側部４の全体における概略編目の大きさが圧縮されて小さくなっており、（Ｄ−ロ）の図は、関節部の内側部３における概略編目の大きさが引っ張られて少し大きくなっている。
（Ｅ）の図は、関節を屈曲した状態のサポーター１で、（Ｅ−イ）の図は、肘又は膝２及び関節部の外側部４の全体における概略編目の大きさが大きく引っ張られて大きくなっており、（Ｅ−ロ）の図は、関節部の内側部３における概略編目の大きさが大きく圧縮されて小さくなっている。したがって、サポーター１における肘又は膝２と関節部の外側部４と関節部の内側部３との構成によって、身体の屈伸に伴う皮膚の変化に対し、サポーター１が充分対応し、均一に密着して確実な着用ができる構成になっている。
【００１３】
図５は、本発明において関節部の外側部４における膨出部を、引き返し編にて減らし目増し目により形成したのとは異なる他の実施例によるサポーター１０で、（イ）の図は、上記本実施例における図１の（Ａ）と同じ組織によるものであり、（ロ）の図は、一周回転編して筒状編に編成する途中における関節部の外側部分１１をストレートに編み、しかも編目を徐々に大きくし又小さくして、地編用伸縮性糸ａと、アクリル繊維等による紡績糸ｂ及び発熱繊維による紡績糸ｃの２本を添え糸編することによって、膨出部を形成したサポーター１０を構成している。
【００１４】
図６は、図５に示す他の実施例のサポーター１０を着用した状態の図で、（ハ）の図は、自然状態のサポーターで、（ニ）の図は、関節を真直ぐに伸ばした状態のサポーターで、（ホ）の図は、関節を屈曲した状態のサポーターで膨出部がさらに滑らかに形成され、また体形に順応したサポーターの着用状態となっている。
【００１５】
【発明の効果】
本発明は、以上説明したように構成されたサポーターであるので、以下に記載されるような効果を奏する。
【００１６】
請求項１に記載の本発明によれば、ポリエステルフィラメント等の伸縮性糸を地編糸として全体を筒状編にしてサポーターとしたので、サポーター全体が伸縮性が高く肘又は膝に極めて良く緊縛し密着することができた。
【００１７】
また、上下端口編部に隣接して伸縮部を構成したことにより、肘又は膝の急激な屈伸に伴う皮膚の変化に対し、口編部の強力な緊縛のもとに、伸縮性糸だけで編成された伸縮性糸が比較的自由に伸縮でき、かつ、数コース毎に配列しているため、本発明の最も特徴とする、サポーターの他の各紡績糸が添え糸編された部分より伸縮性が高く、上記急激な皮膚の変化に伴ない口編部がずれるのを充分吸収し対応できて、サポーターが肘又は膝からずり落ちたり、またサポーターの最も必要な内側部分又は外側部分が関節部分からずれることはなく所定の位置に定着し、安定して所期の目的を達成することができる。
【００１８】
また、上記地編用伸縮性糸に、アクリル繊維等による紡績糸を添え糸編し、かつ、裏パイルを形成した、上記筒状編体中央の関節部内側部分において、アクリル繊維等による紡績糸を１コース又は数コース置きに糸抜きしたので、上記公知の浮き編やタック編により介在するのとは異なり、糸抜きした紡績糸の糸量の分が無くなって、屈曲の妨げにならず極めて容易に屈曲することができる。また、糸抜きされたコースは、他のコースにおけるアクリル繊維等による紡績糸の裏パイルにより覆われ、保温されるので耐寒性は充分あるし、通気性は確保される。
【００１９】
また、上記関節部の外側部分を引き返し編にて減らし目増し目により形成した膨出部分とその周り領域に、さらに、発熱繊維を添え糸編し、かつ裏パイルを形成したので、本発明の最も特徴とする、肘又は膝において特に患部となる関節部の外側部分を、体内からの蒸発水分及び体温等により発熱する発熱によって充分温めることができる。なお、上記アクリル繊維による紡績糸の裏パイルとも相俟って一層保温効果を奏するものである。
【００２０】
さらに、上記関節部の外側部分を、ポリエステルフィラメントによる伸縮性糸とアクリル繊維による紡績糸と発熱繊維による紡績糸との３本を揃え編したので、厚手の膨出部により関節部分を充分保温することができ、かつ、衝撃及び摩擦にも充分耐え得ることができる。
【００２１】
さらに、上記アクリル繊維及び発熱繊維の各紡績糸は、編成領域において全て裏パイルを形成しているので、パイルの密生によるカバーの働きにより、糸抜きしたアクリル繊維による紡績糸の切断端及び添え糸編した発熱繊維の切断端が、肌等の接触による摩擦でほつれるのを防止することができる。
【００２２】
請求項２に記載の本発明によれば、地編用伸縮糸と紡績糸の添え糸編による筒状編体の関節部の外側部分とその周り領域部分の編目を、徐々に大きくし又小さくしながら、さらに発熱繊維による紡績糸を添え糸編して膨出部が形成され、かつ、裏パイルが形成したので、上記外側部分における目減らし目増やしによ形成された膨出部分より、関節部の体形に合った滑らかな膨出部にすることができる。
【図面の簡単な説明】
【図１】サポーターの概略図で、（Ａ）はサポーターにおける関節部内側正面図で、（Ｂ）は同じく関節部外側正面図である。
【図２】図４の（Ｃ）の６における関節部の内側部から外側部にかける範囲の裏面の拡大組織図である。
【図３】サポーターの上端口編部と伸縮部の裏面の拡大組織図である。
【図４】サポーターの着用状態の各側面概略図で、（Ｃ）は自然状態の図で、（Ｃ−イ）はその全外側部における編目の伸張状態の概略図、（Ｃ−ロ）はその関節部の内側部における編目の伸張状態の概略図、（Ｄ）は、関節部を真直ぐに伸ばした状態の図で、（Ｄ−イ）はその全外側部における編目の伸張状態の概略図、（Ｄ−ロ）はその関節部の内側部における編目の伸張状態の概略図、（Ｅ）は、関節部を屈曲した状態の図で、（Ｅ−イ）はその全外側部における編目の伸張状態の概略図、（Ｅ−ロ）はその関節部の内側部における編目の伸張状態の概略図である。
【図５】他の実施例によるサポーターの概略図で、（イ）はサポーターにおける関節部内側正面図、（ロ）は同じく関節部外側正面図である。
【図６】図５に示す他の実施例によるサポーターの着用状態の各側面概略図で、（ハ）は自然状態の図、（ニ）は関節部を真直ぐに伸ばした状態の図、（ホ）は関節部を屈曲した状態の図である。
【符号の説明】
１　　　サポーター
２　　　肘又は膝
３　　　関節部の内側部
４　　　関節部の外側部
５　　　口編部
６　　　関節部の内側部から外側部にかける範囲
７　　　伸縮部
１０　　他のサポーター
１１　　他のサポーターにおける関節部の外側部
ａ　　　伸縮性糸
ｂ　　　紡績糸
ｂ−ｐ　紡績糸の裏パイル
ｂ−ｚ　紡績糸の切断端
ｃ　　　発熱繊維による紡績糸
ｃ−ｐ　発熱繊維による紡績糸の裏パイル
ｃ−ｚ　発熱繊維による紡績糸の切断端
ｄ　　　弾性糸
【図１】
2004068235.tif 000003
【図５】
2004068235.tif 000004
【図２】
2004068235.tif 000005
【図３】
2004068235.tif 000006
【図４】
2004068235.tif 000007
【図６】
2004068235.tif 000008